【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
紙を主成分とする基材層の一方の面に、少なくとも、ポリエチレン系樹脂Ｂを含有する発泡性樹脂層（Ｂ）とポリエチレン系樹脂Ａを含有する表面層（Ａ）とを、基材層／発泡性樹脂層（Ｂ）／表面層（Ａ）の順に積層し、前記基材層の他方の面に、非発泡樹脂層（Ｃ）を積層してなる発泡性積層体であって、
前記ポリエチレン系樹脂Ａ及び前記ポリエチレン系樹脂Ｂは、下記式（１）及び式（２）を満たし、発泡性樹脂層（Ｂ）は、発泡前の厚みが３０μｍ以上であり、表面層（Ａ）は、厚みが１μｍ以上３０μｍ以下であることを特徴とする発泡性積層体。
１≦ＭＦＲａ≦ＭＦＲｂ  （１）
（ただし、ＭＦＲａ（ｇ／１０ｍｉｎ）はポリエチレン系樹脂Ａのメルトマスフローレイト、ＭＦＲｂ（ｇ／１０ｍｉｎ）はポリエチレン系樹脂Ｂのメルトマスフローレイト（いずれも、ＪＩＳ  Ｋ６９２２−２：２００５）である。）
１００≦Ｔａ≦（Ｔｂ＋５）  （２）
（ただし、Ｔａ（℃）はポリエチレン系樹脂Ａの溶融温度、Ｔｂ（℃）はポリエチレン系樹脂Ｂの溶融温度（いずれも、ＪＩＳ  Ｋ６９２２−２：２００５）である。）
【請求項２】
前記ポリエチレン系樹脂Ａは、ＪＩＳ  Ｋ６９２２−２：２００５に準拠して測定されたメルトマスフローレイト（ＭＦＲａ）が、３〜１５ｇ／１０ｍｉｎであることを特徴とする請求項１に記載の発泡性積層体。
【請求項３】
前記ポリエチレン系樹脂Ｂは、ＪＩＳ  Ｋ６９２２−２：２００５に準拠して測定されたメルトマスフローレイト（ＭＦＲｂ）が、５〜２５ｇ／１０ｍｉｎであることを特徴とする請求項１又は２に記載の発泡性積層体。
【請求項４】
前記ポリエチレン系樹脂Ａは、ＪＩＳ  Ｋ６９２２−２：２００５に準拠して測定された溶融温度（Ｔａ）が、１００〜１２５℃であることを特徴とする請求項１〜３のいずれか１項に記載の発泡性積層体。
【請求項５】
前記ポリエチレン系樹脂Ｂは、ＪＩＳ  Ｋ６９２２−２：２００５に準拠して測定された溶融温度（Ｔｂ）が、９５〜１１０℃であることを特徴とする請求項１〜４のいずれか１項に記載の発泡性積層体。
【請求項６】
前記ポリエチレン樹脂Ｂは、高圧法低密度ポリエチレン５０〜９９重量％と、他のポリオレフィン１〜５０重量％とを含有することを特徴とする請求項１〜５のいずれか１項に記載の発泡性積層体。
【請求項７】
請求項１〜６のいずれか１項に記載の発泡性積層体を加熱し、主に紙基材に含有される水分を用いて発泡性樹脂層（Ｂ）を発泡させて得られることを特徴とする発泡加工紙。
【請求項８】
発泡性樹脂層（Ｂ）を発泡させて形成された発泡セルの高さが、８００μｍ以上であることを特徴とする請求項７に記載の発泡加工紙。
【請求項９】
請求項１〜６のいずれか１項に記載の発泡性積層体を用いて、表面層（Ａ）が外側となるように容器形状を成形した後、加熱して表面層（Ａ）及び発泡性樹脂層（Ｂ）を発泡させて得られることを特徴とする断熱容器。
【請求項１０】
発泡性樹脂層（Ｂ）を発泡させて形成された発泡セルの高さが、８００μｍ以上であることを特徴とする請求項９に記載の断熱容器。
【手続補正２】
【補正対象書類名】明細書
【補正対象項目名】００１２
【補正方法】変更
【補正の内容】
【００１２】
すなわち、本発明の第１の発明によれば、紙を主成分とする基材層の一方の面に、少なくとも、ポリエチレン系樹脂Ｂを含有する発泡性樹脂層（Ｂ）とポリエチレン系樹脂Ａを含有する表面層（Ａ）とを、基材層／発泡性樹脂層（Ｂ）／表面層（Ａ）の順に積層し、前記基材層の他方の面に、非発泡樹脂層（Ｃ）を積層してなる発泡性積層体であって、
前記ポリエチレン系樹脂Ａ及び前記ポリエチレン系樹脂Ｂは、下記式（１）及び式（２）を満たし、発泡性樹脂層（Ｂ）は、発泡前の厚みが３０μｍ以上であり、表面層（Ａ）は、厚みが１μｍ以上３０μｍ以下であることを特徴とする発泡性積層体が提供される。
１≦ＭＦＲａ≦ＭＦＲｂ  （１）
（ただし、ＭＦＲａ（ｇ／１０ｍｉｎ）はポリエチレン系樹脂Ａのメルトマスフローレイト、ＭＦＲｂ（ｇ／１０ｍｉｎ）はポリエチレン系樹脂Ｂのメルトマスフローレイト（いずれも、ＪＩＳ  Ｋ６９２２−２：２００５）である。）
１００≦Ｔａ≦（Ｔｂ＋５）  （２）
（ただし、Ｔａ（℃）はポリエチレン系樹脂Ａの溶融温度、Ｔｂ（℃）はポリエチレン系樹脂Ｂの溶融温度（いずれも、ＪＩＳ  Ｋ６９２２−２：２００５）である。）
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、本発明の第２の発明によれば、第１の発明において、前記ポリエチレン系樹脂Ａは、ＪＩＳ  Ｋ６９２２−２：２００５に準拠して測定されたメルトマスフローレイト（ＭＦＲａ）が、３〜１５ｇ／１０ｍｉｎであることを特徴とする発泡性積層体が提供される。
【手続補正６】
【補正対象書類名】明細書
【補正対象項目名】００１６
【補正方法】変更
【補正の内容】
【００１６】
また、本発明の第３の発明によれば、第１又は２の発明において、前記ポリエチレン系樹脂Ｂは、ＪＩＳ  Ｋ６９２２−２：２００５に準拠して測定されたメルトマスフローレイト（ＭＦＲｂ）が、５〜２５ｇ／１０ｍｉｎであることを特徴とする発泡性積層体が提供される。
【手続補正７】
【補正対象書類名】明細書
【補正対象項目名】００１７
【補正方法】変更
【補正の内容】
【００１７】
また、本発明の第４の発明によれば、第１〜３のいずれかの発明において、前記ポリエチレン系樹脂Ａは、ＪＩＳ  Ｋ６９２２−２：２００５に準拠して測定された溶融温度（Ｔａ）が、１００〜１２５℃であることを特徴とする発泡性積層体が提供される。
【手続補正８】
【補正対象書類名】明細書
【補正対象項目名】００１８
【補正方法】変更
【補正の内容】
【００１８】
また、本発明の第５の発明によれば、第１〜４のいずれかの発明において、前記ポリエチレン系樹脂Ｂは、ＪＩＳ  Ｋ６９２２−２：２００５に準拠して測定された溶融温度（Ｔｂ）が、９５〜１１０℃であることを特徴とする発泡性積層体が提供される。
【手続補正９】
【補正対象書類名】明細書
【補正対象項目名】００１９
【補正方法】変更
【補正の内容】
【００１９】
また、本発明の第６の発明によれば、第１〜５のいずれかの発明において、前記ポリエチレン樹脂Ｂは、高圧法低密度ポリエチレン５０〜９９重量％と、他のポリオレフィン１〜５０重量％とを含有することを特徴とする発泡性積層体が提供される。
【手続補正１０】
【補正対象書類名】明細書
【補正対象項目名】００２０
【補正方法】変更
【補正の内容】
【００２０】
また、本発明の第７の発明によれば、第１〜６のいずれかの発明の発泡性積層体を加熱し、主に紙基材に含有される水分を用いて発泡性樹脂層（Ｂ）を発泡させて得られることを特徴とする発泡加工紙が提供される。
【手続補正１１】
【補正対象書類名】明細書
【補正対象項目名】００２１
【補正方法】変更
【補正の内容】
【００２１】
また、本発明の第８の発明によれば、第７の発明において、発泡性樹脂層（Ｂ）を発泡させて形成された発泡セルの高さが、８００μｍ以上であることを特徴とする発泡加工紙が提供される。
【手続補正１２】
【補正対象書類名】明細書
【補正対象項目名】００２２
【補正方法】変更
【補正の内容】
【００２２】
また、本発明の第９の発明によれば、第１〜６のいずれかの発明の発泡性積層体を用いて、表面層（Ａ）が外側となるように容器形状を成形した後、加熱して表面層（Ａ）及び発泡性樹脂層（Ｂ）を発泡させて得られることを特徴とする断熱容器が提供される。
【手続補正１３】
【補正対象書類名】明細書
【補正対象項目名】００２３
【補正方法】変更
【補正の内容】
【００２３】
また、本発明の第１０の発明によれば、第９の発明において、発泡性樹脂層（Ｂ）を発泡させて形成された発泡セルの高さが、８００μｍ以上であることを特徴とする断熱容器が提供される。